(57)【特許請求の範囲】
【請求項１】
容器と、前記容器内の液体を加熱する加熱手段と、前記液体の温度を検知する温度検知手段と、前記加熱手段の動作を制御する制御手段と、商用電源供給中に前記制御手段の動作モードを表示する表示手段と、商用電源の供給が停止されたときに電源をなす蓄電手段とを備え、商用電源の供給が停止されて、第一の所定時間内に再び商用電源が供給されると、商用電源の供給が停止される前の前記制御手段の動作を継続するとともに、前記制御手段は、前記容器への液体の補給を促す動作モードを有し、前記容器への液体の補給を促す動作モードで商用電源の供給が停止されると、前記表示手段は、前記容器内の液体の温度が第一の所定の値を超えている間は商用電源の供給が停止される前の前記制御手段の動作モード表示を継続し、前記容器内の液体の温度が前記第一の所定の値以下になると前記液体の温度表示を行う構成とした電気湯沸かし器。
【請求項２】
表示手段は、商用電源の供給停止から第二の所定時間以上経過すると、表示をオフしてなる請求項１に記載の電気湯沸かし器。
【発明の詳細な説明】
【０００１】
【発明の属する技術分野】
本発明は、電気湯沸かし器に関するものである。
【０００２】
【従来の技術】
以下、従来の電気湯沸かし器について図５を参照しながら説明する。図５は従来の電気湯沸かし器の構成を示すブロック図である。図５において、２１は液体（水）を収容する容器であり、２２は液体を加熱する加熱手段、２３は容器２１内の液体の温度を検知する温度検知手段、２７は温度検知手段２３で検知した温度に従って加熱手段２２を制御する加熱制御手段、３３は商用電源の接続を検知する電源検知手段であり、２６は動作の選択を行う選択手段、３１は選択手段２６で選択された動作モードに従い表示を行う表示手段である。
【０００３】
ここで、容器１内に液体が投入され、商用電源が供給されると、加熱制御手段２７にて加熱手段２２を制御し加熱を開始する。ここで、選択手段２６により動作モードを、例えば、容器の洗浄を行う洗浄モードであったり、ある一定時間は低温で保温し消費電力を節減するタイマーモード等を選択することが可能である。この時、例えば通常の加熱モードであれば表示手段３１にて温度検知手段２３にて検知した温度を表示し、タイマーモードであれば設定されたタイマーの残時間を表示し、洗浄モードであれば、洗浄モードであることが分かる表示を行う。
【０００４】
【発明が解決しようとする課題】
しかしながら、前記従来の構成では、商用電源の供給の停止（以下この現象を停電とする）が瞬時的に起こり商用電源が復電（以下この現象を復電と略す）した場合には、停電前の動作を継続するが、停電の時間が、例えば５秒以上起こった場合には、その後復電しても、初期状態に戻ってしまい、例えば、停電前に洗浄モードにて容器の洗浄を行っていた場合には、再度、初めから洗浄モードを行わなくてはならず、また、タイマーモードを選択していた場合には、復電後、加熱動作を開始してしまい、節電の効果が無くなるなど、使い勝手が悪かった。
【０００５】
本発明は、前記従来の課題を解決するもので、停電が瞬時でなくても、第一の所定時間内に再び商用電源が供給されれば、商用電源の供給が停止される前の動作を継続することを目的としたものである。
【０００６】
【課題を解決するための手段】
前記従来の課題を解決するために本発明は、液体を収容する容器と、容器内の液体を加熱する加熱手段と、加熱手段を制御する加熱制御手段と、容器内の液体の温度を検知する温度検知手段と、動作モードを表示する表示手段と、商用電源の供給が停止されたときに電源をなす蓄電手段とを備えた電気湯沸かし器とする。
【０００７】
これにより、停電が瞬時でなくても、第一の所定時間内に再び商用電源が供給されれば、商用電源の供給が停止される前の動作を継続することが可能となり使い勝手を向上することができる。
【０００８】
【発明の実施の形態】
請求項１に記載の発明は、容器と、前記容器内の液体を加熱する加熱手段と、前記液体の温度を検知する温度検知手段と、前記加熱手段の動作を制御する制御手段と、商用電源供給中に前記制御手段の動作モードを表示する表示手段と、商用電源の供給が停止されたときに電源をなす蓄電手段とを備え、商用電源の供給が停止されて、第一の所定時間内に再び商用電源が供給されると、商用電源の供給が停止される前の前記制御手段の動作を継続するとともに、前記制御手段は、前記容器への液体の補給を促す動作モードを有し、前記容器への液体の補給を促す動作モードで商用電源の供給が停止されると、前記表示手段は、前記容器内の液体の温度が第一の所定の値を超えている間は商用電源の供給が停止される前の前記制御手段の動作モード表示を継続し、前記容器内の液体の温度が前記第一の所定の値以下になると前記液体の温度表示を行う構成とした電気湯沸かし器とするもので、停電が瞬時でなくても、第一の所定時間内であれば、復電後も商用電源の供給が停止される前の動作を継続することが可能となり、使い勝手を向上することができる。さらに、給水を促し、再度電源が投入され加熱を開始してしまうことを防止することができる。さらに、商用電源供給停止時に容器内に液体が追加されたときには、液体の温度を表示して、吐出可能であることを示し使い勝手を更に向上することが可能となる。
【０００９】
請求項２に記載の発明は、特に、請求項１に記載の表示手段は、商用電源の供給停止から第二の所定時間以上経過すると、表示をオフしてなる構成としたもので、再度電源が投入され加熱を開始してしまうことを防止することができるだけでなく、表示をオフすることにより、水が投入され再度交流電源が供給されたにも関わらず、給水を促す表示を継続してしまい、使用者が機器の故障であると誤認することを防止することが可能となる。
【００１０】
【実施例】
以下、本発明の実施例について図１〜図５を参照しながら説明する。
【００１１】
（実施例１）
図１は本発明の実施例１における電気湯沸かし器の構成を示すブロック図である。図１において、１は液体を収容する円筒形の容器である。２は容器１に当接した、液体の加熱もしくは保温を行うための加熱手段であり、通常は加熱用と保温用の２つ以上のヒータで構成される。３は容器１に当接された温度検知手段で、サーミスタ等で構成され、温度検知手段３で検知した温度は、後述する制御手段１４に伝えられ、その温度が例えば約９０℃より低い場合には、加熱制御手段７にて加熱用の加熱ヒータを制御し液体の加熱を行い、温度検知手段３にて検知する温度の上昇度がほぼ横這いになると、容器１内の液体が沸騰したと見なし、加熱ヒータによる加熱を終了し、加熱制御手段７にて保温用の保温ヒータをオンオフ制御する。液体の温度が例えば約９８℃で安定するように保温制御を行う。
【００１２】
４はスイッチ４ａ、４ｂ、４ｃ等々で構成される吐出制御手段、５は、容器１から外部まで液体を送り出す導水路５ａと、この導水路中にあるポンプ５ｂと、このポンプを駆動させるモーター５ｃにて構成される吐出手段である。吐出制御手段４がオンすると制御手段１４に伝達され、制御手段１４によりモーター５ｃを駆動し液体を導水路５ａの外部へ吐出する。
【００１３】
７は加熱制御手段であり、６は動作モードを選択する選択手段である。動作モードには通常の加熱沸騰を行う加熱モードと、保温動作を行う保温モードと、ある一定時間は低温で保温し選択された時間が経過したら再度沸騰を行い保温時の電力を低減するタイマーモードや、容器１の汚れをクエン酸等で洗浄する洗浄モード等がある。選択手段６で選択された動作モードが制御手段１４に伝達され、その選択された動作モードに応じて制御手段１４にて加熱制御手段７の動作を制御し、最終的に加熱制御手段７により、加熱手段２のオンオフ制御を行うものである。
【００１４】
８は電気二重層コンデンサ等で構成される蓄電手段、９は８に蓄えられている蓄電量を検知する蓄電量検知手段、１０は充電手段でほぼ一定の電流を蓄電手段８に供給するものである。また、１３は商用電源の接続の有無を検知する電源検知手段である。電源検知手段１３にて電源の供給を検知しているときは、蓄電量検知手段９で検知した蓄電量が制御手段１４に伝達され、ある閾値より低い場合には、制御手段１４にて充電手段１０を制御し蓄電手段８への充電を行い、蓄電量がある閾値より高い場合には、制御手段１４にて充電手段１０を制御し蓄電手段８への充電を停止する。
【００１５】
また、電源検知手段１３にて電源の接続のオフを検知すると、制御手段１４にて加熱制御手段７を制御し加熱手段２をオフさせ、また、蓄電手段８にて蓄えられている電源を制御手段１４に供給することにより、制御手段１４の動作を保持する。１１は選択手段６で選択された動作モードに従って制御手段１４にて制御される表示を行う表示手段であり、ＬＣＤや複数個のＬＥＤ等で構成される。
【００１６】
図２は本実施例の電気湯沸かし器の回路図である。図２において、１２は交流電源である。電源検知手段１３は抵抗器１３ａ、１３ｂ、１３ｃとクランプ用のダイオード１３ｄと１３ｅで構成される。交流電源１２が供給されているときには、電源検知手段１３の出力信号は交流電源１２の０Ｖ付近をエッジとした０Ｖから基準電圧（本実施例では５Ｖとする）の矩形波となる。ここで出力信号のエッジは交流電源１２の波形に同期しており、交流電源１２の１周期にエッジが２回出力される。交流電源１２が接続されていないときには、電源検知手段１３の出力信号は１３ａ、１３ｂ、１３ｃで分圧された一定電圧となる。つまりマイコン１５がエッジを交流電源１２の周期に応じて定期的に検出しているときには交流電源１２が供給されていると判断し、エッジが一定時間以上検出されない場合には、交流電源１２が供給されていないと判断する。
【００１７】
加熱手段２は容器１内の液体を加熱する第一の発熱体２ａと、第一の発熱体よりも発熱量が少なく容器１内の液体を加熱保温する第二の発熱体２ｂと、これに交流電源１２と直列に接続されたリレー接点２ｃ、２ｄと、このリレー接点２ｃ、２ｄの制御を行うリレーコイル２ｅ、２ｆで構成され、このリレーコイルに電流を流すことにより、前記リレー接点を閉じるようになっている。温度検知手段３は、温度を抵抗値に変換するサーミスタ３ａと分圧用抵抗３ｂとで分圧値を作る。ここで、サーミスタ３ａの検知の揺らぎやノイズを吸収するために、充放電用の抵抗３ｃ、３ｄと電解コンデンサ３ｅを備え、これらのポートの出力を、後述するマイクロコンピュータ１５（以後、マイコンと略す）にて温度を検出するタイミングに応じて変化させ、検知温度の変化を安定して精度良く検出することができる。こうしてノイズやサーミスタ３ａの検知の揺らぎを極力除去した分圧値をＡＤ変換器３ｃにて２進符号に変換する。ＡＤ変換機３ｃは約１０〜１３０℃の範囲を単位温度幅（本実施例では約０．５℃）の温度刻みにし、温度を２進符号にて出力する。
【００１８】
吐出手段５は回路図ではモーター５ｃで構成され、吐出制御手段４はモータ５ｃに直列に接続された吐出スイッチ４ａと、後述するマイコン１５によってオンオフ制御されるトランジスタ４ｂと、マイコン１５の出力を決定するロック解除スイッチ４ｃによって構成される。ロック解除スイッチ４ｃがオンされると、マイコン１５は先ずその時の吐出スイッチ４ａの状態をこの吐出スイッチ４ａとモーター５ｃの間の電位によって判断する。この電位が”Ｈ”となっていたら吐出スイッチ４ａがオンされている状態なので、トランジスタ４ｂをオンさせると即吐出が行われるため危険であり、このロック解除スイッチの入力を無効にする。電位が”Ｈ”の場合は、吐出スイッチ４ａがオフ状態でありトランジスタ４ｂをオンさせても即吐出にはならないので、マイコン１５の出力を”Ｌ”から”Ｈ”に変え、トランジスタ４ｂをオン状態にする（この状態を本実施例では以下、ロック解除状態という）。ロック解除状態で吐出スイッチ４ａがオンされると、オンされている間モーター５ｃに電流が流れ、容器１内の液体が吐出される。また、吐出終了後もロック解除状態が継続されるのを防ぐために、ロック解除状態で電位が”Ｌ”状態をある所定時間（本実施例では１０秒とする）継続した場合には、マイコン１５の出力を”Ｌ”にしトランジスタ４ｂをオフさせロック解除状態を解く。
【００１９】
蓄電手段８は電気二重層コンデンサ８ａ、８ｂとバランス用の抵抗器８ｃ、８ｄで構成される。蓄電量検知手段９は蓄電手段８の電圧を分圧する抵抗器９ａ、９ｂで構成され、その分圧値をＡＤ変換器９ｃにて２進符号に変換する。ＡＤ変換機９ｃは約０〜５Ｖの範囲を単位電圧幅（本実施例では約０．０４Ｖ）の電圧刻みにし、電圧値を２進符号にて出力する。この２進符号が閾値（本実施例では１６進で８０とする）以下であれば蓄電手段８への充電が完了していないと判断し、閾値以上であれば充電が完了していると判断する。充電手段１０は充電用トランジスタ１０ａと抵抗器１０ｂ、定電圧ダイオード１０ｃと充電制御用のトランジスタ１０ｄおよび抵抗器１０ｅで構成され、トランジスタ１０ｄはマイコン１５の出力信号によって制御される。マイコン１５は、蓄電量検知手段９の電圧値が閾値以上であれば、”Ｌ”を出力しトランジスタ１０ｄをオフさせ、閾値以上であれば”Ｈ”を出力しトランジスタ１０ｄをオンさせる。トランジスタ１０ｄがオンすると、トランジスタ１０ａもオンし、抵抗器９ｂには定電圧ダイオード１０ｃの電圧値からトランジスタ１０ａのベース・エミッタ間電圧を引いた、ほぼ一定電圧がかかる。その結果、抵抗器１０ｄにはほぼ一定の電流が流れ、その電流によって電気二重層コンデンサ８ａ、８ｂが充電される。
【００２０】
選択手段６はスイッチ６ａと抵抗器６ｂ、６ｃで構成され、スイッチが押されていないときは出力電圧は”Ｌ”であり、スイッチが押されると”Ｈ”が出力されマイコン１５にて入力を検出する。表示手段１１はＬＣＤで構成され、選択手段６で選択された動作に応じた表示を行う。通常の沸騰・保温モードの時には、温度検知手段３で検知した温度の表示を行い、タイマーモードの時には設定されたタイマーの残時間表示を行い、また、洗浄モードの時には洗浄モードであることを示す表示を行う。さらに、温度検知手段３にて検出する温度が異常に高かったり、その温度上昇勾配が急峻である場合には、容器１内の液体の量が不足している（以後、この状態を異常高温モードとする）と判断し、異常高温モードを示す表示を表示手段１１を構成するＬＣＤにて行う。
【００２１】
ここで、交流電源１２が接続され通常加熱・保温モードもしくは選択手段６で選択された動作を行っているときに、交流電源１２の供給が停止（以後、この状態を停電とする）されると、蓄電手段８にてマイコン１５に電源を供給し、加熱手段２はオフするが表示手段１１による表示を継続し動作モードを維持する。蓄電手段８がなければ、通常マイコンに供給される電源に接続されている電解コンデンサ等により、約０．５〜２秒以内に交流電源１２の供給が再開されると供給停止前の動作を行うが、約２秒以上交流電源１２の供給が停止すると、マイコン１５への電源が供給されずリセットされ、再度、交流電源１２が供給されても、初期状態に戻ってしまう。つまり蓄電手段８があることにより、交流電源１２が停止されてから、第一の所定時間（本実施例では１０秒とする）内に復電した場合には、復帰後も停電前の動作を継続することができる。これにより、使用者が誤って交流電源１２の供給を停止してしまっても、１０秒以内であれば再度停電前の動作を継続することができ、使い勝手を向上することができる。
【００２２】
図３は本実施例におけるマイコン１５に記憶されたプログラムの初期動作および停電時の動作の部分のフローチャートを示したもので、これにより動作を説明する。
【００２３】
電気湯沸かし器に電源が投入されると、温度検知手段３で温度を検知し、検知した温度が第二の所定温度（本実施例では９０℃とする）以上であるか未満であるかを判断する（ステップＳ１）。一般的には容器１内には水を入れて沸かし始めるところからスタートするが、９０℃以上で通電されたときにはステップＳ４の保温中の制御に移行する。ステップＳ１で９０℃未満の場合は、加熱手段２により、湯沸かしを開始する（ステップＳ２）。温度検知手段３の検知温度が沸騰検知測定を開始させる沸騰開始温度（本実施例では９０℃とする）以上になった以降に、単位温度幅である約０．５℃上昇する時間の計時を繰り返し、この計時時間がある所定時間（本実施例では約２０秒とする）以上を計時するまで、このステップを繰り返す（ステップＳ３）。ステップＳ３で沸騰を検知すると加熱手段２をオフし、その後ステップＳ４に移行し、保温中の制御を行う。ステップＳ４では温度検知手段３で検知した温度が第三の所定温度（本実施例では９６℃とする）未満の時には第二の発熱体２ｂをオンさせ、９６℃以上の時には、第二の発熱体２ｂをオフさせることにより、容器１内の液体の温度をほぼ一定に保つように保温制御を行う。ここで、ステップＳ１からＳ４の間は、温度検知手段３で検知した温度を表示手段１１で表示する。
【００２４】
後述する割り込みステップによって、洗浄モードが選択されると、ステップ５へ移行し、加熱動作を開始するとともに、表示手段１１にて洗浄モードであることを示す表示を行う。温度検知手段３の検知温度が沸騰検知測定を開始させる沸騰開始温度（本実施例では９０℃とする）以上になった以降に、単位温度幅である約０．５℃上昇する時間の計時を繰り返し、この計時時間がある所定時間（本実施例では約２０秒とする）以上を計時するまで、このステップを繰り返す（ステップＳ６）。ステップＳ６で沸騰を検知すると、ある所定時間（本実施例では５分間とする）のあいだ加熱手段２をある一定周期でオンオフさせ、洗浄効率を高める（ステップＳ７）。ステップＳ７が終了するとステップＳ８へ移行し加熱手段２をオフし、表示手段１１にて洗浄モードが終了したことを表示し続ける。
【００２５】
また、後述する割り込みステップによって、タイマーモードが選択されると加熱手段２による加熱を停止し表示手段１１にて、タイマーの残時間表示を行う（ステップＳ９）。その後、ステップＳ１０に移行し、保温中の制御を行う。ステップＳ１０では温度検知手段３で検知した温度が第五の所定温度（本実施例では６５℃とする）未満の時には第二の発熱体２ｂをオンさせ、６５℃以上の時には、第二の発熱体２ｂをオフさせることにより、容器１内の液体の温度を約６５℃のほぼ一定に保つように保温制御を行う。続いて、Ｓ１１にてタイマーモード開始からの経過時間を測定し、経過時間がタイマーの設定時間に達するとステップＳ１へ移行する。経過時間がタイマーの設定時間に達するまではステップＳ１０、Ｓ１１を繰り返し行うが、この間、表示手段１１では、タイマーの設定時間から、Ｓ１１で測定した経過時間を引いた値、つまりタイマー残時間を表示する。
【００２６】
次に、割り込みステップであるが、Ｓ１からＳ４の間を動作中に、選択手段６を受け付けると、ステップＳ１２に移行し洗浄待機状態となる。次にステップＳ１３に移行し、ある所定時間（本実施例では４秒とする）洗浄モードを確定させＳ５へ移行する。ステップ１３にて４秒経過もしくはＳ５からＳ８の間で動作中に選択手段６の入力を受け付けると、ステップＳ１４に移行し、タイマー待機状態となる。次にステップＳ１５に移行し４秒が経過すると、タイマーモードを確定させステップＳ９へ移行する。ステップ１５にて４秒経過前もしくはＳ９からＳ１１の間で動作しているときに選択手段６の入力を受け付けると、ステップ１６の通常待機状態に移行する。次にステップ１７にて４秒経過すると、通常沸騰・保温モードを確定させステップＳ１へ移行する。ステップ１７にて４秒経過前に選択手段６の入力を受け付けると、ステップＳ１２へ移行する。
【００２７】
交流電源１２が接続されている状態の各ステップで温度検知手段３にて検出する温度が異常に高かったり、その温度上昇勾配が急峻である場合には、異常高温モードを示す表示を表示手段１１にて行いステップＳ２２へ移行する。次に、ステップ２３で温度が第一の所定温度（本実施例では９０℃とする）より低下するとステップＳ２２へ移行する前のステップへ戻る。
【００２８】
ここで全てのステップ中に電源検知手段１３にて交流電源１２の供給が停止されたことを検知すると表示手段１１の表示を継続したまま、加熱手段２が動作している場合には加熱手段２をオフさせステップＳ１８の電源待機状態へ移行する。次にステップＳ１９へ移行し第一の所定時間が経過した場合にはステップＳ２０へ移行する。ステップＳ１９で第一の所定時間が経過する前に再度電源が投入されると、ステップＳ１８へ移行してくる以前のステップへ戻り動作を継続する。ここで、Ｓ１８からＳ１９の間、表示手段１１の表示はステップＳ１８へ移行する前の表示を継続する。ステップＳ２０はコードレス状態で、交流電源１２が復電するまでは吐出手段５による吐出のみ動作可能とする。ステップ２１で交流電源１２が復電すると初期状態であるステップＳ１へ移行する。ステップＳ１８からステップＳ２１までの間のマイコン１５への電源は蓄電手段８によって行われ、例えば、第一の所定時間の１０秒以内に交流電源１２が復電しても停電する前のステップに戻ることが可能で、さらには、ステップＳ２０で蓄電手段８に蓄えられた電源が無くなるまでの間は、容器１内の液体の吐出が可能となる。
【００２９】
以上のように、蓄電手段８を設けることにより、使用者が誤って交流電源１２の供給を停止してしまっても、第一の所定時間以内であれば再度停電前の動作を継続することができ、使い勝手を向上することができる。
【００３０】
なお、本実施例では、第一の所定時間を１０秒としたが、１０秒に限ったものではなく、少なくとも、従来の電解コンデンサ当で停電時に保持しうる最大の時間以上に設定されていれば、同様の効果が得られることは言うまでもなく、また、第一の所定時間を使用者が設定できる構成とすることにより、更に使用者の使用環境に合わせることが可能で使い勝手をより向上させることが可能である。
【００３１】
なお、本実施例では選択手段６を一つのスイッチで構成しているが、例えばタイマーモードを選択しその時間を設定する選択手段を独立させたり、洗浄モードを設定する選択手段を独立させることも可能で一つの選択手段に限る必要はない。
【００３２】
（実施例２）
本発明の実施例２について図４を参照しながら説明する。なお、実施例１で説明したものと同一構成部材には同一符号を用い、その説明を省略する。
【００３３】
図４は本実施例におけるマイコン１５に記憶されたプログラムの表示に関する初期および停電時の動作の部分のフローチャートを示したもので、これにより表示に関する動作を説明する。
【００３４】
ステップＳ１は交流電源１２が供給されている状態での各モードの動作中の状態である。ここでステップＳ２にて交流電源１２のオフを検知するとステップＳ３へ移行し、ステップＳ３では交流電源１２がオフする前の表示手段１１による表示内容に関係なく、表示手段１１にて温度検知手段３にて検知した温度の表示を行う。次にステップＳ４へ移行し交流電源１２がオフしてから第一の所定時間経過したかどうかを判定する。ステップＳ４にて第一の所定時間が経過するとステップＳ５へ移行しコードレス状態となり、表示手段１１による温度表示を継続する。ステップＳ４にて第一の所定時間が経過する前にステップＳ５にて交流電源１２の復電を検知するとステップＳ１に戻り、表示手段１１による表示も、ステップＳ１からステップＳ２に移行する前の表示内容を継続する。
【００３５】
以上のように、蓄電手段８を設けることにより、使用者が誤って交流電源１２の供給を停止してしまっても、第一の所定時間以内であれば再度停電前の動作を継続することができ、使い勝手を向上することができる。
【００３６】
また、交流電源１２の供給が停止しステップＳ３へ移行するときに、容器１を洗浄する洗浄モードから移行するときには、表示手段１１による表示内容を継続する構成とすることにより、温度表示をしてしまい洗浄中の液体を吐出し誤飲してしまうことを防止することが可能となる。
【００３７】
また、交流電源１２の供給が停止しステップＳ３へ移行するときに、容器１内の液体が不足していることを検知した異常高温モードから移行するときには、表示手段１１による表示内容を継続する構成とすることにより、水が不足しているのに再度、交流電源１２が投入され加熱を開始し、容器１の焦げ付きが発生することを防止することが可能となる。
【００３８】
また、交流電源１２の供給が停止しステップＳ３へ移行するときに、容器１内の液体が不足していることを検知した異常高温モードから移行するときには、表示手段１１による表示内容を継続し、さらにステップＳ３へ移行してから第二の所定時間以上経過すると、表示をオフさせる構成とすることにより、水が不足しているのに再度、交流電源１２が投入され加熱を開始し、容器１の焦げ付きが発生することを防止することが可能となるだけでなく、表示をオフすることにより、水が投入され再度交流電源１２が供給されたにも関わらず、給水を促す表示を継続してしまい、使用者が機器の故障であると誤認することを防止することができる。
【００３９】
また、交流電源１２の供給が停止しステップＳ３へ移行するときに、容器１内の液体が不足していることを検知した異常高温モードから移行するときには、表示手段１１による表示内容を継続し、さらにその後、温度検知手段３で検知した温度が所定の温度以下になったら温度表示を行う構成とすることにより、再度交流電源１２が投入され、加熱を開始し容器１が焦げ付くことを防止するだけでなく、その後、使用者が液体の不足に気付き、容器１に液体を追加したときに通常状態に戻ったことを知らすことができ、更に使い勝手を向上することができる。
【００４０】
【発明の効果】
以上のように、請求項１〜２に記載の発明によれば、蓄電手段を設けることにより、使用者が誤って交流電源の供給を停止してしまっても、第一の所定時間以内に交流電源の供給を開始すれば、再度、停電前の動作を継続することができ、使い勝手を向上することができる。
【図面の簡単な説明】
【図１】本発明の実施例１、２における電気湯沸かし器の構成を示すブロック図
【図２】本発明の実施例１、２における電気湯沸かし器の回路図
【図３】本発明の実施例１における電気湯沸かし器の動作を示すフローチャート
【図４】本発明の実施例２における電気湯沸かし器の動作を示すフローチャート
【図５】従来の電気湯沸かし器の構成を示すブロック図
【符号の説明】
８  蓄電手段
１１  表示手段
【図１】
0003578104.tif 000002
【図２】
0003578104.tif 000003
【図３】
0003578104.tif 000004
【図４】
0003578104.tif 000005
【図５】
0003578104.tif 000006